(57)【要約】【課題】回転軸を安定させ、羽根の回転を安定させることができる垂直軸型風力発電装置を提供する。【解決手段】内部に回転軸６０４が配置される筒６０１と、筒６０１内部の上方または途中部分に配置され、回転軸６０４を回転自在に支持するラジアル玉軸受６０２と、筒６０１内部の下方に配置され、回転軸６０４を回転自在に支持するスラスト玉軸受６０３と、スラスト玉軸受６０３の近傍に、回転軸６０４と隙間を有して筒６０１内壁に設けられるタッチダウン玉軸受６０５とを備える。回転軸６０４が横方向に揺れたときの荷重をタッチダウン玉軸受６０５が受けることができる。【選択図】図１０
2010116921.tif 000002
【特許請求の範囲】
【請求項１】
垂直に設けた回転軸と、前記回転軸の周方向に複数枚取り付けた縦向きの羽根とを有する風力発電装置において、
内部に前記回転軸が配置される筒状部材と、
前記筒状部材内部の上方または途中部分に配置され、前記回転軸を回転自在に支持するラジアル軸受と、
前記筒状部材内部の下方に配置され、前記回転軸を回転自在に支持するスラスト軸受と、
前記スラスト軸受の近傍に、前記回転軸と隙間を有して前記筒状部材内壁に設けられる軸受とを備え、
前記回転軸が横方向に揺れたときに前記筒状部材内壁に設けられる軸受と接触することを特徴とする垂直軸型風力発電装置。
【請求項２】
発電機を有し、
前記回転軸と前記発電機との間を、前記回転軸が所定の回転数に達すると接続するクラッチを介して連結することを特徴とする請求項１に記載の垂直軸型風力発電装置。
【請求項３】
前記回転軸に横上向きの上部支持部材と横下向きの下部支持部材とが設けられ、前記上部支持部材及び前記下部支持部材の先端に前記羽根の縦向きの上下が取り付けられていることを特徴とする請求項１又は２に記載の垂直軸型風力発電装置。
【発明の詳細な説明】
【技術分野】
【０００１】
本発明は、風向に対し垂直な回転軸に沿って縦方向の羽根を有し、この羽根が風によって回転軸の回転方向に回転する垂直翼ダリウス型風車を供えた垂直軸型風力発電装置の改良に関するものである。
【背景技術】
【０００２】
従来から、垂直軸型風力発電装置の技術は公知となっている。
例えば、特許文献１に開示されるものがある。この特許文献１のものは、直線翼垂直軸（Ｈ−ダリウス）型風車であり、その羽根は回転軸方向に沿って垂直方向に位置する一対の支持部材に両端部が固定されているものである。
【先行技術文献】
【特許文献】
【０００３】
【特許文献１】特開平１０−１１０６６６号公報
【発明の概要】
【発明が解決しようとする課題】
【０００４】
しかし、上記特許文献１の構成は、羽根回りの風の流れを整えることができないため、羽根の回転が不安定になる場合があった。
【課題を解決するための手段】
【０００５】
本発明の解決しようとする課題は以上の如くであり、次にこの課題を解決するための手段を説明する。
【０００６】
即ち、本発明の垂直軸型風力発電装置は、垂直に設けた回転軸と、前記回転軸の周方向に複数枚取り付けた縦向きの羽根とを有する風力発電装置において、内部に前記回転軸が配置される筒状部材と、前記筒状部材内部の上方または途中部分に配置され、前記回転軸を回転自在に支持するラジアル軸受と、前記筒状部材内部の下方に配置され、前記回転軸を回転自在に支持するスラスト軸受と、前記スラスト軸受の近傍に、前記回転軸と隙間を有して前記筒状部材内壁に設けられる軸受とを備え、前記回転軸が横方向に揺れたときに前記筒状部材内壁に設けられる軸受と接触することを特徴とする。
上記構成によると、横方向の荷重を受けることができないスラスト軸受に代わって、回転軸が揺れたときの横方向の荷重を、回転軸と隙間を有して筒状部材内壁に設けられる軸受で受けることができる。その結果、回転軸の安定した回転が可能となる。
【０００７】
本発明の垂直軸型風力発電装置は、垂直に設けた回転軸と、当該回転軸の周方向に複数枚取り付けた縦向きの羽根とを有する風力発電装置において、前記回転軸と発電機との間を、前記回転軸が所定の回転数に達すると接続するクラッチを介して連結することを特徴とする。
上記構成によると、微風時には、回転軸を空転させて、回転数が所定の回転数に達したときに回転軸の回転を発電機に接続させることができる。
【０００８】
本発明の垂直軸型風力発電装置は、垂直に設けた回転軸と、当該回転軸の周方向に複数枚取り付けた縦向きの羽根とを有する風力発電装置において、前記回転軸に横上向きの上部支持部材と横下向きの下部支持部材とが設けられ、前記上部支持部材及び前記下部支持部材の先端に前記羽根の縦向きの上下が取り付けられていることを特徴とする。
【０００９】
上記構成によると、上部支持部材と下部支持部材が羽根に対して三角形状になり、安定して羽根を支えることができる。
【００１０】
さらに、本発明は下記の構成を備えていても良い。
本発明の垂直軸型風力発電装置は、垂直に設けた回転軸と、当該回転軸の周方向に複数枚取り付けた縦向きの羽根とを有する風力発電装置において、前記羽根は、横向きの整流板を有する。
【００１１】
上記構成によると、整流板を上下、中間のように整流板を適宜配置することができ、羽根に向かう風の流れを整流することができ、羽根の回転を整えることができる。また、羽根の端から風が逃げるのを防ぐこともできる。
【００１２】
本発明の垂直軸型風力発電装置は、前記整流板の断面が、前記羽根の水平断面の外形を相似的に大きくした形状である。
【００１３】
上記構成によると、整流板が羽根の端から逃げる風を均等に受けるので、より確実に羽根に向かう風の流れを整流することができ、羽根の回転を整えることができる。
【００１４】
本発明の垂直軸型風力発電装置は、前記整流板が、前記回転軸に揚力を生じさせるように斜めに前記羽根に取り付けられている。
【００１５】
上記構成によると、整流板が回転軸の垂直下向きの荷重を減少させ、回転軸の軸受に対する負荷を軽減させることができる。
【００１６】
本発明の垂直軸型風力発電装置は、垂直に設けた回転軸と、当該回転軸の周方向に複数枚取り付けた縦向きの羽根とを有する風力発電装置において、前記羽根の全部または一部に設けられた導電部材と、この導電部材に対して間隔調整自在な磁石部材とを備える速度抑制装置が設けられている。
【００１７】
上記構成によると、暴風雨等の強風時に、磁石部材を羽根に設けられたアルミニウム等の導電部材に近づけると、導電部材の表面に過電流を生じて、ブレーキ動作が生じ、過剰な回転速度となることを抑制することができる。
【００１８】
本発明の垂直軸型風力発電装置は、前記速度抑制装置が、前記回転軸の速度検出装置と、検出された速度に応じて前記導電部材を前記羽根に対して進退させる進退駆動装置を備える。
【００１９】
上記構成によると、風速に応じた回転軸の回転速度を検出し、自動的に過剰な回転速度にならないようにブレーキ動作を生じさせることができる。
【００２０】
本発明の垂直軸型風力発電装置は、垂直に設けた回転軸と、当該回転軸の周方向に複数枚取り付けた縦向きの羽根とを有する風力発電装置において、前記回転軸に、前記回転軸に向けて押し付ける摩擦板と、この摩擦板の押し付けを制止し又は前記制止を解除する操作装置との組み合わせである回転停止装置が設けられている。
【００２１】
上記構成によると、暴風時等の強風時に作動し、回転軸に摩擦板を押し付ける回転停止装置を設けるので、過剰な回転速度に至るまでに停止させることができる。
【００２２】
本発明の垂直軸型風力発電装置は、垂直に設けた回転軸と、当該回転軸の周方向に複数枚取り付けた縦向きの羽根とを有する風力発電装置において、前記回転軸に横向きの支持部材が設けられ、その支持部材の先端に前記羽根の縦向きの中程がヒンジとバネ部材を介して、前記羽根の縦向きに対して傾斜するように取り付けられている。
【００２３】
上記構成によると、羽根に過剰な力が作用すると、羽根が縦向きに対して傾斜して開くことにより、羽根に作用する力を緩和させる。
【００２４】
本発明の垂直軸型風力発電装置は、垂直に設けた回転軸と、当該回転軸の周方向に複数枚取り付けた縦向きの羽根とを有する風力発電装置において、前記回転軸に横向きの支持部材が設けられ、その支持部材の先端に前記羽根の縦向きの中程がヒンジとバネ部材を介して、前記羽根の横向きに対して傾斜するように取り付けられている。
【００２５】
上記構成によると、羽根に過剰な力が作用すると、羽根が横向きに対して傾斜して開くことにより、羽根に作用する力を緩和させる。
【００２６】
本発明の垂直軸型風力発電装置は、前記上部支持部材及び前記下部支持部材は、先端に至るほど断面係数が小さくなるように形成され、断面が略山形状である。
【００２７】
上記構成によると、上部支持部材及び下部支持部材の軽量化を図り、回転モーメントを減少させ、剛性を高くできる。
【００２８】
本発明の垂直軸型風力発電装置は、垂直に設けた回転軸と、当該回転軸の周方向に複数枚取り付けた縦向きの羽根とを有する風力発電装置において、前記回転軸から電気を逃がす電気ブラシを設けるか、前記回転軸とこれを支持する軸受の外筒との間に絶縁材を設ける。
【００２９】
上記構成によると、落雷時などに、電気を地面に逃がすか、回転軸から羽根に至るまでを電気的に絶縁状態にして、落雷を阻止することができる。
【００３０】
本発明の垂直軸型風力発電装置は、垂直に設けた回転軸と、当該回転軸の周方向に複数枚取り付けた縦向きの羽根とを有する風力発電装置において、前記回転軸は、前記羽根側の上側回転軸と、発電機側の下側回転軸と、両回転軸の嵌合部とからなり、前記嵌合部は回転トルクの伝達部分が嵌合隙間を有して形成されたものである。
【００３１】
上記構成によると、嵌合隙間により、下側回転部材に対して上側回転部材が、隙間の分だけ傾きながら、回転トルクを伝達でき、上側回転部材に取り付けられた羽根を風に沿わせることができる。
【００３２】
本発明の垂直軸型風力発電装置は、垂直に設けた回転軸と、当該回転軸の周方向に複数枚取り付けた縦向きの羽根とを有する風力発電装置において、周方向に隣設されている、支持部材と羽根との結合部分付近同士を、ひも状部材で連結する。
【００３３】
上記構成によると、支持部材を補強することとなるので、羽根に発生する遠心力に対向することができる。
【００３４】
本発明の垂直軸型風力発電装置は、垂直に設けた回転軸と、当該回転軸の周方向に複数枚取り付けた縦向きの羽根とを有する風力発電装置において、前記羽根はアルミニウム合金製であり、前記羽根の内部に周方向にバネ付勢により移動可能な重しが設けられている。
上記構成によると、回転により重しが外周方向に移動し、低速回転では慣性力が小さく、高速回転では慣性力が大きくなる。
【００３５】
本発明の垂直軸型風力発電装置は、垂直に設けた回転軸と、当該回転軸の周方向に複数枚取り付けた縦向きの羽根とを有する風力発電装置において、前記羽根はアルミニウム合金製であり、前記回転軸の基部側を支持する台座部には、この台座部から水平方向に延びる着脱自在な延長部材と、この延長部材の端に取り付けられる固定部材とからなる姿勢安定装置が設けられている。
上記構成によると、軽い羽根を用いる風力発電装置を何処でも設置できる。
本発明の垂直軸型風力発電装置の前記固定部材は重しで形成されている。
この構成により、延長部材の端に重しを取り付けるだけで、固定することができる。
本発明の垂直型風力発電装置の前記重しは、水が給排水可能なタンクで形成されている。
上記構成によると、水の吸水により重しになり、水を抜くと軽くなる。
【発明の効果】
【００３６】
本発明は、以上のように構成したので、以下に示すような効果を奏する。
即ち、本発明の垂直軸型風力発電装置によると、横方向の荷重を受けることができないスラスト軸受に代わって、回転軸が揺れたときの横方向の荷重を、回転軸と隙間を有して筒状部材内壁に設けられる軸受で受けることができる。その結果、回転軸の安定した回転が可能となる。
【００３７】
また、本発明の垂直軸型風力発電装置によると、風力発電装置の起動時の発電ロスを少なくすることができる。
【００３８】
また、本発明の垂直軸型風力発電装置によれば、異常風圧時などに羽根が開くので、羽根に作用する力を緩和すると共に、回転数を低下させて遠心力を小さくできる。その結果、羽根の損傷を回避できる。
【図面の簡単な説明】
【００３９】
【図１】本発明の一実施形態に係る垂直軸型風力発電装置の正断面図。
【図２】（ａ）は羽根に整流板が４枚取り付けられた実施態様を示す図であって、（ｂ）は（ａ）における整流板を、風向きに対して上向きに取り付けた羽根の斜視図、（ｃ）は（ｂ）の側面図。
【図３】羽根の速度抑制を行うことができる装置を備える実施態様を示す図であって、（ａ）は羽根の外側に速度抑制装置を設け、この装置が自動であるもの、（ｂ）は（ａ）の装置速度抑制装置が手動であるもの、（ｃ）は回転軸の下部に速度抑制装置を設けた場合を示す。
【図４】（ａ）は羽根が支持部材に縦向きに傾斜自在に、ヒンジ及びばねで取り付けられている実施態様を示す図、（ｂ）は図４（ａ）の（ｂ）−（ｂ）矢視図、（ｃ）は羽根が支持部材に縦向きに傾斜自在に、ヒンジ及びばねで取り付けられている実施態様を示す図。
【図５】（ａ）は回転軸から電気を逃がす実施態様の一例を示す図であって、（ｂ）は回転軸から電気を逃がす実施態様の他例を示す図。
【図６】（ａ）は回転軸の回転を停止させる実施態様の一例を示す図、（ｂ）は回転軸の回転を停止させる回転停止装置の原理図、（ｃ）は、回転軸の回転を停止させる実施態様の他例を示す図。
【図７】回転軸の高さ調節機構及び回転軸支持機構を示す図。
【図８】回転軸に横上向きの上部支持部材と横下向きの下部支持部材とが設けられ、上部支持部材及び下部支持部材の先端に前記羽根の縦向きの上下が取り付けられている実施態様を示す図。
【図９】本発明の他の一実施形態である垂直型風力発電装置の全体の斜視図。
【図１０】回転軸の回転負荷を抑える実施態様の一例を示す図。
【発明を実施するための形態】
【００４０】
次に、発明の実施の形態を説明する。
図１は本発明に係る垂直軸型風力発電装置の正断面図である。１０１は基礎で、簡易なコンクリートにて形成されている。１０２は回転軸で、後述する手段で直立状態を保っている。１０３は風力発電の動力を生み出すための羽根であり、回転軸１０２の上部に軸心方向と直角方向に固定されている支持部材１０４の各対向面相互間であって、周縁部に沿って複数個配置されている。羽根１０３の上下端には、羽根１０３の回りの風の流れを整える整流板１０５が設けられている。１０６は筒状体で、内部空間に回転軸１０２を位置させ、上下内面に位置する軸受１０７、１０８によって回転軸１０２を回動自在に支持している。１０９は部材支持用枠体で、基礎１０１の適所に固定され、前記筒状体１０６の下端部を保持している。１００はワイヤー固定手段で、ワイヤー１００ａ及びこのワイヤー１００ａへの張力の付勢を担うためのワイヤー張力調整機構１００ｂから構成される。このワイヤー固定手段１００の両端は前記筒状体１０６の固定部位１０６ａと地上側の固定部位１１０との間で少なくとも３箇所（１２０度間隔）に配置される。そして、このワイヤー固定手段１００は、羽根１０３が受ける風圧によって応力を受け、軸心から直角方向に変位しようとする回転軸１０２の垂直状態を維持する自立補充手段を構成する。１１２は発電機で、前記枠体１０９に固定され、その回転軸にはプーリ１１３が備えられている。１１４はプーリで、回転軸１０２において、前記プーリ１１３と同じ高さ位置に固定される。１１５はベルトで前記プーリ１１３、１１４相互間に係合し、発電機１１２に回転軸１０２の回転力を伝達する、また、当該発電機１１２を、風の向きと羽根との位置関係、風の強さなどの要因において風車が始動しない場合、始動用モータの役割も兼ねさせるようにすることもできる。
また、図示しないが、回転軸１０２の下端などに回転の減速、停止を行うためのブレーキ機構を設けるのが通例である。
さらに、図示しないが、回転軸１０２の下端などに発電機１１２と回転軸１０２とを、遠心クラッチを介して連結することとしてもよい。これにより、発電機が発電できない微風時に回転軸１０２を空転させて回転エネルギを蓄積させておき、回転軸１０２が所定の回転数に達したときに回転軸１０２の回転を発電機に接続させ、その際に回転軸１０２に蓄積した回転エネルギで発電機の起動時のコギング現象を克服し、発電機の起動時の発電ロスがない。
【００４１】
図２（ａ）は、羽根に整流板が４枚取り付けられた実施態様を示す図である。
整流板２５１は、羽根２５３の上端部と、下端部と、羽根２５３の支持部材２５５との接合部までの途中部分に上下一枚ずつ取り付けられている。
上記構成により、風の流れの羽根からの漏れを防ぐと共に、羽根の回転音を消音することができる。
なお、本実施形態では４枚の整流板を羽根に取り付けているものであるが、さらに必要枚数を羽根の途中部分に取り付けてもよい。
図２（ｂ）、（ｃ）は、図２（ａ）における支持部材２５５に近設された整流板２５４を、風向きに対して上向きに取り付けられている羽根の一例を示した図である。整流板２５４は、羽根２５３に対し斜めに傾けて取り付けられている。
この整流板２５４が複数枚設置されていれば、揚力が発生し、ベアリングの荷重を小さくすることができる。その結果、ベアリングのメカロス低減による効率アップやベアリングの寿命を延ばすことができる。
【００４２】
図３は、羽根の速度抑制を行うことができる装置を備える実施態様を示す図である。図３（ａ）に示すように、羽根２６３の速度抑制ができる速度抑制装置２６４は、導電部材である羽根２６３と、回転軸２６２の回転速度を検出する速度検出装置２６５と、検出された速度に応じて磁石部材２６６を羽根２６３に対して進退させる装置２６７と、この進退駆動装置２６７を駆動させるモータ２６７ａを制御するコントローラ部２６８とを備えてなる。
これにより、台風などの強風が吹く際には、自動で強風状態であることを感知し、磁石部材２６６と羽根２６３との間隔を調整して、導電部材である羽根２６３に近づけ、その表面に過電流を生じさせて、ブレーキ動作をさせる。その結果、オーバースピードを防止し、過回転による垂直軸型風力発電装置の故障を防止する。
なお、羽根２６３は上記のように全体が導電部材であってもよいし、磁石部材に対応する部分のみ導電部材としてもよい。
また、図３（ａ）に示す実施形態は緊急時には自動で駆動するものであるが、図３（ｂ）に示すように、磁石部材２６６を羽根２６３に対して手動で進退させるものであってもよい。この場合、動かした後にはボルト２６９などで固定する。
他に、図３（ｃ）に示すように、回転軸２６２の下部に中心軸を合わせて、導電部材である円板２６１を取り付け、磁石部材２６６を進退させる速度抑制装置を設けてもよい。
【００４３】
図４（ａ）は、羽根が支持部材に縦向きに傾斜自在に、ヒンジ及びばねで取り付けられている実施態様を示す図である。図４（ｂ）は、図４（ａ）の（ｂ）−（ｂ）矢視図である。
支持部材２７５は、地面に垂直方向の断面が略Ｔ字型の部材である。その先端部２７６において羽根２７３が揺動可能にヒンジで接合されている。また、先端部２７６と反対側の先端部付近で羽根２７３はバネ２７４によっても、羽根２７３の縦向きに傾斜自在に取り付けられている。
上記実施態様によれば、強風により一定以上の遠心力や風圧が羽根２７３に発生すると、羽根２７３が羽根２７３の縦向きに傾斜自在である。よって、この一定以上の遠心力や風圧を減少させることができるので、急激な応力が羽根に加わることがなく、破損の恐れは殆どない。
なお、図示しないが、先端部２７６と羽根２７３との接合をピン接合とすれば、羽根２７３の縦向き及び横向きに揺動自在となる。
図４（ｃ）は、図４（ａ）における支持部材２７５を支持部材２７５の軸を中心として９０度回転させた状態とした上で、羽根２７３が横向きに傾斜自在となるように図４（ａ）と同様にヒンジ及びバネで接合されているものである。
上記実施態様によれば、図４（ａ）における実施態様と同様の効果が得られる。
【００４４】
図５（ａ）は、回転軸から電気を逃がす実施態様の一例を示す図である。回転軸２８２から電気を逃がす電気ブラシ２８１は、先端部分が回転軸２８２に接するように軸受２８５の外筒２８４の途中部分に設けられている。また、電気ブラシ２８１の回転軸２８２への接触側と反対側部分は地面に接続されている。
上記実施態様によれば、落雷時の損傷を防止できる。
図５（ｂ）は、回転軸から電気を逃がす実施態様の他例を示す図である。回転軸２８２とこれを支持する軸受２８５の外筒２８４との間に絶縁材２８６が設けられているものである。
上記実施態様によれば、図５（ａ）の実施態様と同様の効果が得られる。
【００４５】
図６（ａ）は回転軸の回転を停止させる実施態様の一例を示す図、図６（ｂ）は回転軸の回転を停止させる回転停止装置の原理図である。筒２９６に固定支持されている回転停止装置２９１は、回転軸２９２に向けて付勢されている摩擦板２９４と、この摩擦板２９４の付勢を制止し又はこの制止を解除する操作装置２９５と、摩擦板２９４と操作装置２９５とに接続されているバネ２９７とからなる。摩擦板２９４には、永久磁石２９４ａが操作装置２９５側に設けられている。操作装置２９５は、電源２９５ａと接続されているコイル２９５ｂを永久磁石２９４ａ側に有している。
通常状態では、コイル２９５ｂ側へ永久磁石２９４は吸着され、回転軸２９２に接していない状態である。非常時には、コイル２９５ｂに電源２９５ａから電流が流れ、永久磁石２９４とコイル２９５ｂの磁束が打ち消し合うこととなる。このとき、縮められていたバネ２９７の反発力により回転軸２９２に摩擦板２９４が押し付けられて、回転軸２９２の回転を制止する。
上記実施態様によれば、暴風時などに回転軸２９２の回転を停止することにより、過剰回転にならないように、また損傷が発生しないように装置を保護するという効果が得られる。
図６（ｃ）は、回転軸の回転を停止させる実施態様の他例を示す図である。回転停止装置２９１’は、摩擦筒２９８は、摩擦半筒２９８ａ、２９８ｂの一端同士が回動可能に接合部２９８ｃにおいて接合され、摩擦半筒２９８ａ、２９８ｂの他端同士がバネ２９９により接合されている摩擦筒２９８と、この摩擦筒２９８の付勢をカム２９５’ａにより制止し又はこの制止を解除する操作装置２９５’とからなる。
通常時には、摩擦半筒２９８ａ、２９８ｂの他端同士の間にカム２９５’ａを噛まして、回転軸２９２に接触しないように一時的に固定する。
非常時には、カム２９５’ａを摩擦半筒２９８ａ、２９８ｂの他端同士の間で、操作装置２９５’により回転軸２９２断面の平面上で平行に回転させる。そして、摩擦半筒２９８ａ、２９８ｂの他端同士の間を閉じて、回転軸２９２に摩擦筒２９８を接触させ、その回転を停止させるものである。ただし、この操作装置２９５’の電源は緊急時のみ接続され、通常時には接続されていないものである。
上記実施態様によれば、図６（ａ）の実施態様と同様の効果が得られる。
【００４６】
図７は、回転軸の高さ調節機構及び回転軸支持機構を示す図である。図７（ａ）、（ｄ）に示すように、回転軸の高さ調節機構３００は、羽根３０３が取り付けられた支持部材３０５が上部に取り付けられ、下部において同形に切り抜かれている２つの部位が対面して設けられている筒状の回転軸３０１と、上部において径方向に貫通穴が複数設けられ、下部において一部切り欠きがある棒状の回転軸３０２と、回転軸３０１と回転軸３０２とを固定支持する固定支持棒３０４とからなる。
回転軸３０２は複数の貫通穴３０２ａがあるので、固定支持棒３０４の貫通穴３０２ａへの挿入位置を変えて回転軸３０１と回転軸３０２とを固定支持することで回転軸３０１の高さを調整できる。また、回転軸３０２は、図７（ｂ）に示すように、回転軸３０２下部を支持する回転軸支持部材３０６に嵌合するように下部が切り欠かれ、取り外しが出来るようになっている。なお、回転軸３０２と回転軸支持部材３０６とが嵌合するのであれば、図７（ｂ）に示す形状のものでなくてもよい。例えば、三角形や四角形などの多角形のものでもよいし、スプラインでもよい。
図７（ｃ）は、固定支持棒３０４部分における回転軸の断面を示す図である。
上記実施態様を他の実施態様と組み合わせれば、各装置において回転軸の高さ調節が容易にでき、しかも支柱が曲がったり、熱膨張したりしても、摺動するので無理な力がかからないという効果が得られる。
【００４７】
図８（ａ）は、回転軸３１２に横上向きの上部支持部材３１４ａと横下向きの下部支持部材３１４ｂとが回転軸３１２上部に取り付けられた上下２枚の円板３１１ａ、３１１ｂにそれぞれ設けられ、上部支持部材３１４ａ及び下部支持部材３１４ｂの先端に羽根３１３の縦向きの上下が取り付けられている垂直軸型風力発電装置の回転軸３１２上部付近を示す図である。円板３１１ａ、３１１ｂは、中心部分が回転軸３１２にボルトなどで固定支持されている。第一支持部材３１４ａや下部支持部材３１４ｂが取り付けられる円板３１１ａ、３１１ｂの縁部分にはスリットが入っていて、各支持部材が取り付けやすいように折り曲げることができるようになっている。ただし、折り曲げられない部位のスリット間の円周部近傍部３１６が、溶接などで固定されている。
図８（ｂ）は、図８（ａ）の上視図、図８（ｃ）は図８（ｂ）の（ｃ）−（ｃ）矢視図、図８（ｄ）は図８（ｂ）の（ｄ）−（ｄ）矢視図である。図８（ｂ）、（ｃ）、（ｄ）に示すように、上部支持部材３１４ａ及び下部支持部材３１４ｂは、先端に至るほど断面係数が小さくなるように形成され、断面が略山形状である。また、上部支持部材３１４ａ及び下部支持部材３１４ｂは、円板３１１ａ、３１１ｂの径方向に一方の側面が取り付けられ、他方の側面が上部支持部材３１４ａ及び下部支持部材３１４ｂの円板側の端の山形裏側に固定されている板部材３１５により、円板３１１ａ、３１１ｂの周方向への力（羽根３１３が受ける風圧による力）に耐え得るように補強されている。
上記実施態様によれば、羽根３１３を安定して支持することができ、羽根３１３の回転時に異常が発生することを防止することができる。
なお、羽根に発生する遠心力に対向するために、周方向に隣設されている、羽根を連結する構造としても良い。例えば、羽根同士を板状部材で連結したり、上部支持部材３１４ａと羽根３１３との結合部分付近同士をワイヤーで結合する実施態様としても良い。
【００４８】
なお、上記各実施形態の羽根の材質をアルミにすれば、装置の軽量化を図ることができる。
【００４９】
つぎに、他の羽根構造に係る垂直軸型風力発電装置を説明する。
図１の羽根１０３の中に錘（重し）が遠心力で移動可能に配設されている。具体的には、羽根１０３内に、錘が配設されている。錘は、羽根１０３の厚み方向の外周側面からは、押しバネで押し付けられ、羽根１０３の厚み方向の内周側からは引きバネで引きつけられている。
【００５０】
羽根１０３が回転していないとき、或いは羽根１０３が低速で回転しているときは、錘は、押しバネで押され、引きバネで引かれているため、内周側に位置している。そのため、錘による慣性力は大きくなく、羽根１０３は低速で軽く回転することができる。
【００５１】
羽根１０３が高速で回転しているときは、錘に作用する遠心力により、錘は、押しバネと引きバネの付勢力に抗して、羽根１０３の外周側に移動する。そのため、錘による慣性力は大きくなり、羽根１０３は高速で安定して回り続けることができる。
【００５２】
なお、錘は、ガイド棒により周方向に移動自在に取り付けられ、押しバネ又は引きバネのいずれか一方のバネだけで、内周側に引きつけておき、遠心力が作用すると、ガイド棒に沿って外周側に移動できる構造であってもよい。
また、このような錘は、羽根１０３の長手方向に多数取り付けることができる。このように多数の錘を設けることにより、回転により錘４５が一斉に外周方向に移動し、低速回転では慣性力が小さくても、高速回転では慣性力をより大きくすることができる。
【００５３】
更に、垂直軸型風力発電装置の設置構造例を図９により説明する。
図９において、垂直軸型風力発電装置５０１は、垂直に設けた回転軸５０２と、回転軸５０２の周方向に複数枚取り付けた羽根５０３とを備えて成る。
回転軸５０２の上方には、円板５１１を介して支持部材５１２，５１３が取り付けられている。回転軸５０３の下方は、軸受５２１を介して支柱５２２内に回転自在に支持されている。支柱５２２は、台座部となるベース５２３を有する。ベース５２２は、後述する姿勢安定装置５０５により基礎に設置される。また、回転軸５０２の下方には、適宜の変速機構５２４を介して発電機５２５が連結されている
【００５４】
上側支持部材５１２は、円板５１１の上側指向折り曲げ部から斜め上方に伸びて羽根５０３の上方を支持する。下側支持部材５１３は、円板５１１の下側指向折り曲げ部から斜め下方に伸びて羽根５０３の下方を支持する。
【００５５】
羽根５０３は、断面が翼状となっており、一方面５０３ａは流線が長くなる凸状面となっており、他方面５０３ｂは流線が短くなるフラット状面となっている。なお、図示のように、一方面５０３ａが外方に面する配置に限らず、一方面５０３ａが軸に向かう内方に面する配置であってもよい。
【００５６】
羽根５０３は、羽根長手方向に延びるアルミニウム合金製の２本以上の骨材と、この骨材に挿入状態で固定される多数のアルミニウム合金製の翼状板と、この翼状板の周囲に張られるアルミニウム合金製の薄い外皮とからなる。このようにアルミニウム合金製で軽い羽根５０３を用いる風力発電装置５０１は、そのベース（台座部）５２３で地面等に設置されるが、その設置を容易なものとするために、姿勢安定装置５０５が用いられる。
【００５７】
この姿勢安定装置５０５は、回転軸５０２の基部側を支持するベース（台座部）５２３から水平方向に延びる着脱自在な延長部材５５１と、この延長部材５５１の端に取り付けられる重し（固定部材）５５２とからなる。
【００５８】
ベース（台座部）５２３は、図示例では三角形状であり、の三辺から、パイプ状の延長部材５５１が放射状に外方に向かって設けられている。この延長部材５５１は、ベース（台座部）５２３に対しても、後述する重し５５２に対しても、着脱自在となっている。
【００５９】
この延長部材５５１の端に、重し５５２が取り付けられている。この重し５５２は、プラスチック製のタンクで形成される。タンクには、吸水口５５２ａと排水口５５２ｂとが設けられ、それぞれプラグにより閉鎖又は開放可能となっている。
【００６０】
発電装置１の設置においては、風車が正しい姿勢で立つ様に所定位置にベース５２３を設置する。つぎに、延長部材５５１をベース５２３に取り付ける。この延長部材５５１の端に重し５５２を取り付ける。重し５５２の吸水口５５２ａから水を供給し、重し５５２を形成するタンク内を水で満たす。重し５５２が例えば５０リットルタンクであると、５０ｋｇの重しとなる。
【００６１】
発電装置５０１の設置位置を変えたい場合には、重し５５２の排水口５５２ｂから水を抜き取る。重し５５２は空のタンクとなって軽くなる。その状態では、羽根５０３を含む風車の全体が軽くなり、そのままでも、或いは延長部材５５１及び空の重し５５２取り外して移動することが簡単にできる。
そして、所定位置で再び、重し５２に水を導入することにより、発電装置５０１を安定的に設置することができる。
なお、延長部材５５１の端に取り付けられる固定部材は、重しに限らず、地面に対する杭打ち構造であってもよい。延長部材５５１を長くすることにより、風力発電装置５０１を安定させることができる。
【００６２】
図１０は、回転軸の回転負荷を抑える実施態様の一例を示す図である。垂直に設けられた筒６０１の内部には、ラジアル玉軸受６０２と、スラスト玉軸受６０３と、回転軸６０４と、タッチダウン玉軸受６０５とが配置されている。
【００６３】
ラジアル玉軸受６０２は、回転軸方向に直角な方向の荷重を受けるものであり、筒６０１内壁上方において固定されていて、回転軸６０４を回転自在に支持しているものである。
【００６４】
スラスト玉軸受６０３は、回転軸方向の荷重を受けるものであり、一方側のリング状の板部材６０３ａと、他方側のリング状の板部材６０３ｂと、複数の玉６０３ｃとからなる。一方側のリング状の板部材６０３ａは、筒６０１内部下方において筒６０１と垂直に固定され、筒６０１内壁と隙間を開けて配置されている。また、他方側のリング状の板部材６０３ｂは、回転軸６０４と垂直に固定されていて、回転軸６０４の外壁と隙間を開けて配置されている。複数の玉６０３ｃは、板部材６０３ａと板部材６０３ｂとの間で、これらの内側に設けられている図示しない円周方向の溝に沿って移動自在に挟まれている。上記構成により、スラスト玉軸受６０３は、回転軸６０４を回転自在に支持しているものである。
【００６５】
回転軸６０４は、筒６０１の中央部分において、ラジアル玉軸受６０２とスラスト玉軸受６０３とによって、回転自在に支持されている。回転軸６０４下方の断面が階段状に形成され、スラスト玉軸受６０３上部のリング状の板が嵌合しているものである。また、回転軸６０４のタッチダウン玉軸受６０５下部近傍には、回転軸６０４の上方向への移動をタッチダウン玉軸受６０５と共に制限するために、リング状の板部材６０６が取り付けられている。
【００６６】
タッチダウン玉軸受６０５は、スラスト玉軸受６０３の上方近傍に、回転軸６０４と隙間を有して筒６０１内壁に設けられている。
【００６７】
次に、本実施態様の作用について説明する。スラスト玉軸受６０３は、横方向の荷重を受けることができない。従って、回転軸６０４が横方向に揺れたときの荷重は、上部に設けられたラジアル玉軸受６０２に集中し、横方向の荷重に弱い構造となる。そこで、筒６０１下方にタッチダウン玉軸受６０５を設け、回転軸６０４が揺れたときの横方向の荷重をこのタッチダウン玉軸受６０５で受けて、回転軸６０４の回転が安定するまで回転軸６０４を回転自在に支持する。そして、回転軸６０４の回転が安定し始めると、回転軸６０４は、タッチダウン玉軸受６０５から離反する。
【００６８】
本実施形態によると、横方向の荷重を受けることができないスラスト玉軸受６０３に代わって、回転軸６０４が揺れたときの横方向の荷重をタッチダウン玉軸受６０５で受けることができる。その結果、回転軸６０４の安定した回転が可能となる。
【００６９】
なお、ラジアル玉軸受６０２に代えて、ラジアルころ軸受などを用いてもよい。また、ラジアル玉軸受６０２の位置は、筒６０１の途中部分に固定されるものでもよい。
また、スラスト玉軸受６０３に代えて、スラストころ軸受やスラスト磁気軸受などを用いてもよい。
さらに、タッチダウン玉軸受６０５に代えて、タッチダウンころ軸受などを用いてもよい。また、タッチダウン玉軸受６０５の位置は、スラスト玉軸受６０３の下方近傍でもよい。
【００７０】
なお、以上の実施形態により、種々の構成を示したが、この構成は単独又は２以上を種々に組み合わせて実施することができる。
【符号の説明】
【００７１】
１００  ワイヤー固定手段
１００ａ  ワイヤー
１００ｂ  ワイヤー張力調整機構
１０１  基礎
１０２、２６２、２８２、２９２、３０１、３０２、３１２  回転軸
１０３、２５３、２６３、２７３、３０３、３１３  羽根
１０４、２５５、２７５、３０５  支持部材
１０５、２５１、２５４  整流板
１０６  筒状体
１０７、１０８  軸受
１０９  枠体
１１０  固定部位
１１２  発電機
１１３  プーリ
２６１、３１１ａ  円板
２６４  速度抑制装置
２６５  速度検出装置
２６６  磁石部材
２６７  進退駆動装置
２６７ａ  モータ
２６８  コントローラ部
２６９  ボルト
２７４、２９７、２９９、  バネ
２７６  先端部
２８１  電気ブラシ
２８４  外筒
２８６  絶縁材
２９１  回転停止装置
２９４  摩擦板
２９４ａ  永久磁石
２９５、２９５’  操作装置
２９５ａ  電源
２９５ｂ  コイル
２９５’ａ  カム
２９６  筒
２９８  摩擦筒
２９８ａ、２９８ｂ  摩擦半筒
２９８ｃ  接合部
３００  調節機構
３０２ａ  貫通穴
３０４  固定支持棒
３０６  回転軸支持部材
３１４ａ  上部支持部材
３１４ｂ  下部支持部材
３１５  板部材
３１６  円周部近傍部
５５１    延長部材
５５２    重し（固定部材）
５５２ａ    吸水口
５５２ｂ    排水口
６０１  筒
６０２  ラジアル玉軸受
６０３  スラスト玉軸受
６０３ａ、６０３ｂ、６０６  リング状の板部材
６０３ｃ  玉
６０４  回転軸
６０５  タッチダウン玉軸受
６０５  筒
【図１】
2010116921.tif 000003
【図２】
2010116921.tif 000004
【図３】
2010116921.tif 000005
【図４】
2010116921.tif 000006
【図５】
2010116921.tif 000007
【図６】
2010116921.tif 000008
【図７】
2010116921.tif 000009
【図８】
2010116921.tif 000010
【図９】
2010116921.tif 000011
【図１０】
2010116921.tif 000012